(57)【要約】【課題】  窓戸に張り付けたシート状の発散体に浸潤させた水分を自然に気化させることによって室内の加湿を行う窓戸取付型自然蒸発式加湿器に関し、該発散体に液体を供給する手段をコンパクトにし、窓戸の開閉に支障が生ずることなく、該発散体を簡便に交換できる加湿器を提供する。【解決手段】  窓戸取付型自然蒸発式加湿器１は、サイフォン式給水器２と、給水路３と、発散体４とからなる。サイフォン式給水器２は、窓戸Ａに吊下げるための吊下げ具２４を有する。給水路３は、防水性を有するシート状の部材であって、薄肉面３ａと厚肉面３ｂとから形成され、薄肉面３ａ側には小孔３ｄが穿設されており、折り返し部３ｃを境に折り返して、上部に接着部３ｅを形成し、下部にチューブ部３ｆを形成する。発散体４は、吸水性を有するシート状の部材からなり、給水路３と窓戸Ａによって挟持され窓戸Ａに張り付けられている。【選択図】      図１
2015045419.tif 000002
【特許請求の範囲】
【請求項１】
シート状の発散体に浸潤させた水分を自然に気化させることによって室内の加湿を行う窓戸取付型自然蒸発式加湿器であって、サイフォン式給水器と、給水路と、発散体とからなり、該サイフォン式給水器は、容器本体と、蓋部材と、チューブ部材と、吊下げ具とから構成されており、該蓋部材は、該容器本体の口部に着脱自在に取り付けることができ、給水孔及び空気孔が穿設されており、該チューブ部材は、該給水孔を介して、その一端が該容器本体の内部に接続されているとともに、その他端が該給水路に接続されており、該吊下げ具は、窓戸に該サイフォン式給水器を吊り下げるための部材であり、該給水路は、防水性を有するシート状の部材であって、折り返し部を境にして薄肉面と厚肉面とから形成されており、該薄肉面側の該折り返し部近傍には小孔が穿設されていて、該折り返し部を境に折り返して上部の重なる部分を接着して接着部を形成するとともに下部の重なる部分を接着することなく筒状にチューブ部を形成しており、該チューブ部が該サイフォン式給水器側から下方向に傾斜するようにして窓戸に取り付けられており、該発散体は、吸水性を有するシート状の部材からなり、該給水路と窓戸の屋内側表面とによって挟持され窓戸に張り付けられていることを特徴とする窓戸取付型自然蒸発式加湿器。
【請求項２】
請求項１に記載した窓戸取付型自然蒸発式加湿器であって、前記薄肉面の片面又は両面の一部又は全面が粘着面とされていることを特徴とする窓戸取付型自然蒸発式加湿器。
【請求項３】
請求項１又は２に記載した窓戸取付型自然蒸発式加湿器であって、前記給水孔に前記チューブ部材を介するに当たって、該チューブ部材は吸水チューブと給水チューブとから形成されており、チューブ継手が該給水孔に取り付けられており、該吸水チューブは、その一端が前記容器本体の内部に接続されているとともに、その他端が該チューブ継手の一端に接続されており、該給水チューブは、その一端が前記給水路に接続されているとともに、その他端が該チューブ継手の他端に接続されていることを特徴とする窓戸取付型自然蒸発式加湿器。
【請求項４】
請求項１から３までの何れかに記載した窓戸取付型自然蒸発式加湿器であって、前記チューブ部材を前記給水路に接続するに当たって給水ノズルを介して接続していることを特徴とする窓戸取付型自然蒸発式加湿器。
【発明の詳細な説明】
【技術分野】
【０００１】
本発明は、窓戸に張り付けたシート状の発散体に浸潤させた水分を自然に気化させることによって室内の加湿を行う窓戸取付型自然蒸発式加湿器に関するものである。
【背景技術】
【０００２】
従来、室内に設置したシート状の発散体に貯水容器から水分を浸潤させ、該水分を自然に気化させることによって室内の加湿を行う自然蒸発式加湿器が提案されている（例えば、特許文献１，２，及び３参照。）。
【０００３】
上記のような自然蒸発式加湿器は、該発散体に浸潤させた水分を自然に気化させることによって室内の加湿を行うことができるため、従来一般に用いられている電気式の加湿器とは異なり、電力を用いないから省エネルギー化を図ることができるとともに、作動する部分を有しないから破損することも少ないため、好適である。また、上記のような自然蒸発式加湿器は、電源ないし電気コードを必要としないから、電源の位置によってその設置場所を制限されることはなく、また、電気コードによって室内の美観を損ねることもない。そして、上記のような自然蒸発式加湿器は、該発散体が浸潤しているために埃等の汚れが付着し易いといった問題があるものの、他の発散体に交換して洗浄すること等によって該発散体を清潔に保つことができ、また種々の模様や色彩などが描かれた他の発散体に交換することによって室内の装飾品としても用いることができるのである。
【０００４】
また、給水制御装置から供給される液体を給水管に穿設された小孔から家屋の壁面に取り付けられた布部材等に滴下させて、該布部材に浸潤させた水分を蒸発させることにより家屋の壁面を冷却することによって室内を冷却する冷房装置も提案されている（例えば、特許文献４参照。）。
【０００５】
ここで、上記のような自然蒸発式加湿器は、室内の加湿効果を高めるために該発散体に浸潤させた水分の蒸発を促進するべく、該発散体を太陽光に照らすとともに、該発散体の表面積を大きくするのが好適である。しかしながら、表面積の大きなシート状の発散体を用いた該自然蒸発式加湿器を室内に設置した場合にはその占有面積が広くなってしまい、居住者の生活空間を阻害するという問題を生じる。そこで、とりわけ表面積の大きなシート状の発散体を用いる場合には、これを窓戸に張り付けることによって、該発散体を太陽光に照らして浸潤させた水分の蒸発を促進することができるとともに、居住者の生活空間を確保することができて、好適である。
【先行技術文献】
【特許文献】
【０００６】
【特許文献１】特開２０１３−４４５１８号公報
【特許文献２】特開２００１−３２１６２８号公報
【特許文献３】特開２００６−３４９２４２号公報
【特許文献４】特開平１１−８３２３０号公報
【発明の概要】
【発明が解決しようとする課題】
【０００７】
まず、上記の従来技術に係る自然蒸発式加湿器は、例えば、特許文献１又は２に記載されている加湿器のように、毛細管現象を利用して貯水容器から発散体に液体を供給するようなものであって、該発散体に液体を供給する手段が比較的大掛かりなものであるために、窓戸に取り付けることは困難であった。
【０００８】
そこで、本発明が解決しようとする第一の課題は、窓戸に張り付けたシート状の発散体に浸潤させた水分を自然に気化させることによって室内の加湿を行う窓戸取付型自然蒸発式加湿器に関し、該発散体に液体を供給する手段をコンパクトにした窓戸取付型自然蒸発式加湿器を提供することにある。
【０００９】
次に、上記の従来技術に係る自然蒸発式加湿器は、仮に窓戸に取り付けることができたとしても、該発散体に液体を供給する手段が比較的大掛かりなものであるために、これを窓戸に取り付けた際に窓戸の開閉に支障が生じる可能性がある。即ち、窓戸の開閉を行う際には、該自然蒸発式加湿器を取り外さなければならないため、煩雑である。
【００１０】
そこで、本発明が解決しようとする第二の課題は、窓戸に張り付けたシート状の発散体に浸潤させた水分を自然に気化させることによって室内の加湿を行う窓戸取付型自然蒸発式加湿器に関し、窓戸の開閉に支障が生じないようにした窓戸取付型自然蒸発式加湿器を提供することにある。
【００１１】
また、上記の従来技術に係る自然蒸発式加湿器は、シート状の発散体の全面を窓戸に密着させて取り付けるものであるため、該発散体の洗浄等を行うために該発散体を交換する際の作業が煩雑であるという問題があった。
【００１２】
そこで、本発明が解決しようとする第三の課題は、シート状の発散体に浸潤させた水分を自然に気化させることによって室内の加湿を行う窓戸取付型自然蒸発式加湿器に関し、該発散体を簡便に交換することができる窓戸取付型自然蒸発式加湿器を提供することにある。
【００１３】
そして、上記の従来技術に係る自然蒸発式加湿器は、シート状の発散体に液体を供給する手段の該発散体に対する位置が固定されているため、該自然蒸発式加湿器を設置することができる場所が限定されてしまうという問題があった。
【００１４】
そこで、本発明が解決しようとする第四の課題は、シート状の発散体に浸潤させた水分を自然に気化させることによって室内の加湿を行う窓戸取付型自然蒸発式加湿器に関し、該発散体に液体を供給する手段の該発散体に対する位置を所望の位置に調節することができる窓戸取付型自然蒸発式加湿器を提供することにある。
【課題を解決するための手段】
【００１５】
本発明は、上記の各課題を解決するために提案されたものであり、以下の構成を有するものである。以下では、本発明の構成を理解することを補助するために、本願に添付した図面に表示した番号及び符号を併せて記載する。
【００１６】
本発明の第一から第三までの課題を解決するため、請求項１に係る窓戸取付型自然蒸発式加湿器１は、シート状の発散体に浸潤させた水分を自然に気化させることによって室内の加湿を行う窓戸取付型自然蒸発式加湿器であって、サイフォン式給水器２と、給水路３と、発散体４とからなる。サイフォン式給水器２は、容器本体２１と、蓋部材２２と、チューブ部材２３と、吊下げ具２４とから構成されている。蓋部材２２は、容器本体２１の口部２１ａに着脱自在に取り付けることができ、給水孔２２ａ及び空気孔２２ｂが穿設されている。チューブ部材２３は、給水孔２２ａを介して、その一端が容器本体２１の内部に接続されているとともに、その他端が給水路３に接続されている。吊下げ具２４は、窓戸Ａにサイフォン式給水器２を吊り下げるための部材である。給水路３は、防水性を有するシート状の部材であって、折り返し部３ｃを境にして薄肉面３ａと厚肉面３ｂとから形成されており、薄肉面３ａ側の折り返し部３ｃ近傍には小孔３ｄが穿設されている。給水路３は、折り返し部３ｃを境に折り返して上部を接着して接着部３ｅを形成するとともに下部を接着することなく管状にチューブ部３ｆを形成する。給水路３は、チューブ部３ｆがサイフォン式給水器２側から下方向に傾斜するようにして窓戸Ａに取り付けられている。発散体４は、吸水性を有するシート状の部材からなり、給水路３と窓戸Ａの屋内側表面とによって挟持され窓戸Ａに取り付けられている。
【００１７】
本発明の第四の課題を解決するため、請求項２に記載した窓戸取付型自然蒸発式加湿器１は、請求項１に記載した窓戸取付型自然蒸発式加湿器であって、薄肉面３ａの片面又は両面の一部又は全面が粘着面とされている。
【００１８】
請求項３に記載した窓戸取付型自然蒸発式加湿器１は、請求項１又は２に記載した窓戸取付型自然蒸発式加湿器であって、給水孔２２ａにチューブ部材２３を介するに当たって、チューブ部材２３は吸水チューブ２３ａと給水チューブ２３ｂとから形成されており、チューブ継手２２ｄが給水孔２２ａに取り付けられている。吸水チューブ２３ａは、その一端が容器本体２１の内部に接続されているとともに、その他端がチューブ継手２２ｄの一端に接続されている。給水チューブ２３ｂは、その一端が給水路３に接続されているとともに、その他端がチューブ継手２２ｄの他端に接続されている。
【００１９】
請求項４に記載した窓戸取付型自然蒸発式加湿器１は、請求項１から３までの何れかに記載した窓戸取付型自然蒸発式加湿器であって、チューブ部材２３を給水路３に接続するに当たって給水ノズル２５を介して接続している。
【発明の効果】
【００２０】
本発明に係る窓戸取付型自然蒸発式加湿器は、上記の通りの構成であるから、以下のような効果を奏することができる。
【００２１】
まず、請求項１に記載した窓戸取付型自然蒸発式加湿器１は、上記のように、サイフォン式給水器２を用いて発散体４に液体を供給するものであるから、上記の従来技術に係る毛細管現象を利用して貯水容器から発散体に液体を供給するような手段に比較して、大掛かりな手段を必要とすることはない。
【００２２】
従って、請求項１に記載した窓戸取付型自然蒸発式加湿器は、窓戸に張り付けたシート状の発散体に浸潤させた水分を自然に気化させることによって室内の加湿を行う窓戸取付型自然蒸発式加湿器に関し、該発散体に液体を供給する手段をコンパクトにした窓戸取付型自然蒸発式加湿器を提供するという本発明の第一の課題を解決することができる。
【００２３】
また、請求項１に記載した窓戸取付型自然蒸発式加湿器１は、上記のように、給水路３がシート状の部材を折り返して形成されているとともに、発散体４が吸水性のあるシート状の部材から構成されているため、これらを窓戸Ａに取り付けたままにしても、支障なく窓戸Ａの開閉を行うことができる。また、サイフォン式給水器２も、吊下げ具２４を窓戸Ａに取り付けられたフック部材Ｂに引っ掛けて吊り下げているだけであるため、簡便に窓戸Ａに対する着脱を行うことができる。
【００２４】
従って、請求項１に記載した窓戸取付型自然蒸発式加湿器は、窓戸に取り付けたシート状の発散体に浸潤させた水分を自然に気化させることによって室内の加湿を行う窓戸取付型自然蒸発式加湿器に関し、窓戸の開閉に支障が生じないようにした窓戸取付型自然蒸発式加湿器を提供するという本発明の第二の課題を解決することができる。
【００２５】
また、請求項１に記載した窓戸取付型自然蒸発式加湿器１は、上記のように、給水路３と窓戸Ａの屋内側表面とによって挟持され窓戸Ａに張り付けられているため、窓戸の屋内側表面に発散体４を張り付けて給水路３をその上辺に押し当てることによって発散体４を窓戸に取り付けることができるとともに、給水路３を取り外すことによって発散体４を取り外すことができる。
【００２６】
従って、請求項１に記載した窓戸取付型自然蒸発式加湿器は、シート状の発散体に浸潤させた水分を自然に気化させることによって室内の加湿を行う窓戸取付型自然蒸発式加湿器に関し、該発散体を簡便に交換することができる窓戸取付型自然蒸発式加湿器を提供するという本発明の第三の課題を解決することができる。
【００２７】
上記の通り、サイフォン式給水器２からの液体の供給が円滑に行われるように、チューブ部３ｆがチューブ部材２３を接続する側から下方向に傾斜するようにして、給水路３が窓戸Ａに取り付けられるところ、請求項２に記載した窓戸取付型自然蒸発式加湿器１は、薄肉面３ａの片面又は両面の一部又は全面が粘着面とされているため、給水路３をその両面のいずれにも折り返して接着することができる。そうすると、給水路３の両端のいずれにもチューブ部材２３を接続することができるため、シート状の発散体に浸潤させた水分を自然に気化させることによって室内の加湿を行う窓戸取付型自然蒸発式加湿器に関し、該発散体に液体を供給する手段の該発散体に対する位置を所望の位置に調節することができる窓戸取付型自然蒸発式加湿器を提供するという本発明が解決しようとする第四の課題を解決することができる。
【００２８】
あわせて、請求項２に記載した窓戸取付型自然蒸発式加湿器１は、薄肉面３ａの片面又は両面の一部又は全面が粘着面とされていることから、折り返し部３ｃを境に折り返して上部の重なる部分を接着することによって簡便に接着部３ｅ及びチューブ部３ｆを形成することができるとともに、給水路３を簡便に窓戸Ａに取り付けることができるため、一層好適である。
【００２９】
また、とりわけチューブ部材２３がフレキシブルなチューブ状の部材である場合には、チューブ部材２３が給水孔２２ａ近傍で撓んでしまうことによって、サイフォン効果による容器本体２１に貯留されている液体の給水路３への流出を円滑に行うことができない場合が考えられる。ここで、請求項３に記載した窓戸取付型自然蒸発式加湿器１は、給水孔２２ａにチューブ継手２２ｄが取り付けられているため、チューブ部材２３の給水孔２２ａ近傍における撓みを防止することができて、好適である。また、容器本体２１には様々な大きさの容器を用いることができるところ、その大きさにあわせて適切な長さを有するチューブ部材２３を用いる必要があるが、給水孔２２ａにチューブ継手２２ｄが取り付けられていることによって、チューブ部材２３の交換を速やかに行うことができる。
【００３０】
そして、請求項４に記載した窓戸取付型自然蒸発式加湿器１は、チューブ部材２３と給水路３とが給水ノズル２５を介して接続されているため、窓戸取付型自然蒸発式加湿器１の窓戸Ａに対する着脱を行う際等にチューブ部材２３の給水路３への抜き差しを速やかに行うことができ、一層好適である。
【図面の簡単な説明】
【００３１】
【図１】本発明の第一実施形態に係る窓戸取付型自然蒸発式加湿器の使用状態を示した正面図である。
【図２】本発明の第一実施形態に係る窓戸取付型自然蒸発式加湿器におけるサイフォン式給水器を示した構造図である。
【図３】本発明の第一実施形態に係る窓戸取付型自然蒸発式加湿器におけるサイフォン式給水器の蓋部材を示した断面図である。
【図４】本発明の第一実施形態に係る窓戸取付型自然蒸発式加湿器における給水路を示した構造図である。
【図５】本発明の第一実施形態に係る窓戸取付型自然蒸発式加湿器における給水路を示した断面図である。
【図６】本発明の第二実施形態に係る窓戸取付型自然蒸発式加湿器におけるサイフォン式給水器を示した構造図である。
【図７】本発明の第二実施形態に係る窓戸取付型自然蒸発式加湿器におけるサイフォン式給水器の蓋部材を示した断面図である。
【発明を実施するための形態】
【００３２】
まず、本発明の第一実施形態に係る窓戸取付型自然蒸発式加湿器の構造及びその使用態様について添付図面に基づいて説明する。
【００３３】
窓戸取付型自然蒸発式加湿器１は、図１に図示するように、サイフォン式給水器２と、給水路３と、発散体４とからなる。
【００３４】
サイフォン式給水器２は、図２に図示するように、容器本体２１と、蓋部材２２と、チューブ部材２３と、吊下げ具２４と、給水ノズル２５とから構成されている。
【００３５】
容器本体２１は、図２に図示するように、発散体４に浸潤させる液体を貯留するための容器であり、例えば公知の飲料用のペットボトル等を用いることができる。容器本体２１は、口部２１ａの外周面に雄螺子２１ｂが切られている。
【００３６】
蓋部材２２は、図３に図示するように、上面を閉鎖した円筒形の部材である。もっとも、蓋部材２２は、容器本体２１の口部２１ａに取り付けることができれば、特にその形状は限定されない。蓋部材２２の内周面下部には雌螺子２２ｃが切られており、上記のように容器本体２１の口部２１ａの外周面には雄螺子２１ｂが切られているところ、蓋部材２２を口部２１ａに着脱自在に取り付けることができる。蓋部材２２の上面中央には給水孔２２ａが穿設されているとともに、蓋部材２２の上面には容器本体２１内の空気の出し入れを行うための空気孔２２ｂが穿設されている。
【００３７】
チューブ部材２３は、フレキシブルなチューブ状の部材であって、例えば公知のゴムホースやビニールチューブ等を用いることができる。チューブ部材２３は、図２に図示するように、給水孔２２ａを介して、その一端が容器本体２１内部の底部まで伸びているとともに、その他端が給水ノズル２５を介して給水路３の一端に接続されている。給水ノズル２５としては、例えばプラスチック製の円筒形の部材等を用いることができる。
【００３８】
吊下げ具２４は、図２に図示するように、一本の針金等の線状部材を細長いリング状に形成した上で、その一端を折り曲げた端部に他端をくぐらせて形成した部材である。図１に図示するように、窓戸Ａに取り付けたフック部材Ｂに吊下げ具２４の上部を係止させるとともに、該折曲げ部に容器本体２１の上部を係止させることによって、フック部材Ｂにサイフォン式給水器２を吊り下げることができる。
【００３９】
使用者は、空気孔２２ｂを指で塞ぎながら、液体を貯留した容器本体２１を押圧してチューブ部材２３を液体で満たしていき、チューブ部材２３が液体で満されたならば、空気孔２２ｂから指を外す。そうすると、サイフォン効果によって、液体がチューブ部材２３を介して給水路３へと流出し続けることとなる。
【００４０】
給水路３は、図１に図示するように、サイフォン式給水器２から供給される液体を発散体４に滴下するための部材である。給水路３は、図４に図示するように、横向き台形状のゴムシートやビニールシート等の防水性を有するシート状の部材であって、折り返し部３ｃを境にして薄肉面３ａと厚肉面３ｂとから形成されており、給水路３を窓戸Ａに取り付けた際に薄肉面３ａが窓戸Ａに接するようになっていて、薄肉面３ａ側の折り返し部３ｃ近傍には液体を発散体４に滴下するための小孔３ｄが穿設されている。薄肉面３ａの片面又は両面の一部又は全面は粘着面とされており、窓戸取付型自然蒸発式加湿器１を使用しないときには剥離紙によって覆われている。該粘着面は、例えば公知の接着剤を塗布すること等によって形成することができる。厚肉面３ｂを設けることにより、発散体４を窓戸Ａに張り付けて給水路３を窓戸Ａに取り付けた際の窓戸Ａに対する押圧力を高めることができるとともに、折り返し部３ｃに段差が生じることから、発散体４を窓戸Ａと挟持するにあたって安定的に挟持することができ、好適である。
【００４１】
給水路３は、図５に図示するように、その上辺と下辺が合わさるように折り返して上部の重なる部分を接着して接着部３ｅを形成するとともに下部の重なる部分を接着することなく筒状にチューブ部３ｆを形成する。給水路３は、図１に図示するように、サイフォン式給水器２からの液体の供給が円滑に行われるように、チューブ部３ｆがチューブ部材２３を接続する側から下方向に傾斜するようにして窓戸Ａに取り付けられている。即ち、図１及び４に図示するように、チューブ部材２３を給水路３の左側に接続する場合には、短辺が左側に位置することになる面を折り返して接着部３ｅとチューブ部３ｆを形成し、チューブ部材２３を給水路３の右側に接続する場合には、図４に図示する給水路３を裏返しにして、短辺が右側に位置することになる面を折り返して接着部３ｅとチューブ部３ｆを形成することによって、給水路３の両端のいずれにチューブ部材２３を接続しても、チューブ部３ｆがチューブ部材２３を接続する側から下方向に傾斜するようにして窓戸Ａに取り付けることができる。チューブ部３ｆの一端には給水ノズル２５を介してチューブ部材２３を接続するとともに、チューブ部３ｆの他端には栓部材３ｇを詰めることによって、チューブ部３ｆ内に供給された液体が他端から漏れ出すことを防止する。
【００４２】
発散体４は、図１に図示するように、サイフォン式給水器２から給水路３を介して供給された液体を浸潤させ、その水分を自然に気化させることによって室内の加湿を行うための部材である。発散体４は、吸水性を有しており、かつ、液体を浸潤させても容易に破損することがないシート状の部材であって、例えば、和紙等の比較的強固な材質からなる各種の紙部材、又はハンカチーフ、ネッカチーフ等の各種の布部材を用いることができる。このような部材であれば、窓戸Ａの大きさに合わせて所望の大きさに切断するなどして発散体４の大きさを適宜調節することができるため、好適である。
【００４３】
発散体４は、図５に図示するように、その上辺部をチューブ部３ｆと窓戸Ａの屋内側表面とによって挟持されており、給水路３を窓戸Ａに対して押圧することによって、窓戸Ａの屋内側表面を覆うようにして窓戸Ａに張り付けられている。もっとも、発散体４は、液体を浸潤させていないと窓戸Ａに張り付けることが困難な場合も考えられるため、前もって液体を浸潤させてから、窓戸Ａに張り付けるのが好適である。
【００４４】
尚、発散体４が給水路３から供給される液体を全て吸収し切れない場合には、発散体４の下部から液体が染み出して、室内を濡らしてしまう可能性がある。そのため、図１に図示するように、窓戸取付型自然蒸発式加湿器１を住居でよく見受けられる二枚引戸に係る窓戸Ａに設置する場合には、外側の窓戸Ａに設置することにより、発散体４の下部から液体が染み出してきたとしても、桟Ｃに流れ落ちて家屋の外へと流れ出すため、室内を濡らすことなく好適である。
【００４５】
そうすると、給水路３を窓戸に対して押圧するだけで、発散体４を窓戸Ａに簡便に取り付けることができるとともに、給水路３を窓戸Ａから取り外すだけで、発散体４を窓戸Ａから簡便に取り外すことができ、発散体４の窓戸Ａへの着脱に際して好適である。
【００４６】
本発明に係る窓戸取付型自然蒸発式加湿器１は、上記の通り、主として室内の加湿を目的とするものであるが、夏季には太陽熱で熱せられる窓戸Ａを発散体４に浸潤させた水分で冷却することにより室内の冷房効果を高めることができるとともに、冬季には黒色系の発散体４を用いることで太陽熱を吸収することにより室内の暖房効果を高める効果も得られる。
【００４７】
以上が、本発明の第一実施形態に係る窓戸取付型自然蒸発式加湿器の構造及び使用態様についての説明である。次に、本発明の第二実施形態に係る窓戸取付型自然蒸発式加湿器の構造及び使用態様について、添付図面に基づいて説明する。尚、第二実施形態に係る窓戸取付型自然蒸発式加湿器の構造及び使用態様は、下記の事項以外、前記の第一実施形態に係る窓戸取付型自然蒸発式加湿器の構造及び使用態様と同一である。
【００４８】
図６及び７に図示するように、チューブ部材２３は吸水チューブ２３ａと給水チューブ２３ｂとから形成されており、チューブ継手２２ｄは給水孔２２ａを貫通するようにして取り付けられている。吸水チューブ２３ａは、その一端が容器本体２１の内部に接続されているとともに、その他端がチューブ継手２２ｄの一端に接続されている。給水チューブ２３ｂは、その一端が給水路３に接続されているとともに、その他端がチューブ継手２２ｄの他端に接続されている。
【００４９】
図７に図示するように、チューブ継手２２ｄは、上下面の開放された円筒形の部材であり、その上下部のそれぞれの外周面には外側にわずかに突出した係止部２２ｅを設けると、チューブ継手２２ｄに吸水チューブ２３ａ及び給水チューブ２３ｂをそれぞれ取り付け易くなり、好適である。
【００５０】
チューブ部材２３はフレキシブルなチューブ状の部材であるところ、チューブ部材２３が給水孔２２ａ近傍で撓んでしまうことによって、サイフォン効果による液体の給水路３への流出を円滑に行うことができない場合が懸念されるが、チューブ継手２２ｄが給水孔２２ａに取り付けられているため、チューブ部材２３の給水孔２２ａ近傍における撓みを防止することができる。また、容器本体２１には様々な大きさの容器を用いることができるところ、その大きさにあわせてチューブ部材２３の長さを調節する必要があるが、チューブ継手２２ｄが給水孔２２ａに取り付けられていることによって、チューブ部材２３の交換を簡便に行うことができる。
【符号の説明】
【００５１】
１  窓戸取付型自然蒸発式加湿器
２  サイフォン式給水器
２１  容器本体
２１ａ  口部
２１ｂ  雄螺子
２２  蓋部材
２２ａ  給水孔
２２ｂ  空気孔
２２ｃ  雌螺子
２２ｄ  チューブ継手
２２ｅ  係止部
２３  チューブ部材
２３ａ  吸水チューブ
２３ｂ  給水チューブ
２４  吊下げ具
２５  給水ノズル
３  給水路
３ａ  薄肉面
３ｂ  厚肉面
３ｃ  折り返し部
３ｄ  小孔
３ｅ  接着部
３ｆ  チューブ部
３ｇ  栓部材
４  発散体
Ａ  窓戸
Ｂ  フック部材
Ｃ  桟
【図１】
2015045419.tif 000003
【図２】
2015045419.tif 000004
【図３】
2015045419.tif 000005
【図４】
2015045419.tif 000006
【図５】
2015045419.tif 000007
【図６】
2015045419.tif 000008
【図７】
2015045419.tif 000009